(57)【要約】 【課題】  無線接続機能を有する周辺装置及びその操作方法を提供する。【解決手段】  無線接続機能を有する周辺装置１３０は、伝送インターフェース１３１と、無線通信ユニット１３３と、記憶ユニット１３５と、処理ユニット１３７とを含む。伝送インターフェース１３１はコンピューターシステム１１０を接続するのに用いられる。コンピューターシステム１１０は一つの表示装置１１１を有する。無線通信ユニット１３３は無線の方式でインターネットとデータ伝送を行う。記憶ユニット１３５は少なくとも一つの接続情報を有する。伝送インターフェース１３１とコンピューターシステム１１０が接続する時、処理ユニット１３７は接続情報に基づいて、表示装置１１１にリストを表示する。リストは少なくとも一つの選択項目を有する。選択項目が選択された時、表示装置１１１は特定のウェブサイトのホームページを表示する。【選択図】  図１
2012103828.tif 000002
【特許請求の範囲】
【請求項１】
一つの表示装置を有する一つのコンピューターシステムと接続するのに用いられる伝送インターフェースと、
無線の方式でインターネットとデータ伝送を行う無線通信ユニットと、
少なくとも一つの接続情報を有する記憶ユニットと、
前記伝送インターフェースと前記コンピューターシステムが接続した時、前記接続情報に基づいて、前記表示装置に少なくとも一つの選択項目を有するリストを表示し、前記選択項目が選択された時、前記表示装置は特定のウェブサイトのホームページを表示する処理ユニットと、
を含むことを特徴とする無線接続機能を有する周辺装置。
【請求項２】
前記伝送インターフェースはユニバーサルシリアルバス（USB）と、ブルートゥース(blue tooth)と、ペリフェラルコンポーネントインターコネクトエクスプレス (Peripheral Component Interconnect Express, PCI-E)とのいずれかひとつの伝送方式を有することを特徴とする請求項１に記載の無線接続機能を有する周辺装置。
【請求項３】
前記無線通信ユニットは、３Ｇ通信システムと、３．５Ｇ通信システム、４Ｇ通信システムと、ワールドワイドインターオペラビリティフォーマイクロウェーブアクセス(Worldwide
Interoperability for Microwave Access,WiMAX)とのいずれか一つであることを特徴とする請求項１に記載の無線接続機能を有する周辺装置。
【請求項４】
前記接続情報は前記特定のウェブサイトのアドレスと、前記特定のウェブサイトのIDと、パスワードとを有することを特徴とする請求項１に記載の無線接続機能を有する周辺装置。
【請求項５】
前記記憶ユニットは識別情報を更に有し、前記伝送インターフェースと前記コンピューターシステムが接続する時、前記処理ユニットは入力情報と前記識別情報を対比し、前記入力情報が前記識別情報と一致した場合、前記表示装置は前記リストを表示することを特徴とする請求項１に記載の無線接続機能を有する周辺装置。
【請求項６】
前記入力情報は指紋、または人間の顔であることを特徴とする請求項５に記載の無線接続機能を有する周辺装置。
【請求項７】
前記選択項目が選択された時、前記無線通信ユニットは前記特定のウェブサイトに連結し、前記選択項目が選択されない時、前記無線通信ユニットは前記特定のウェブサイトに連結しないことを特徴とする請求項１に記載の無線接続機能を有する周辺装置。
【請求項８】
前記伝送インターフェースと前記コンピューターシステムが接続する時、前記処理ユニットは前記接続情報に基づいて、前記無線通信ユニットを前記特定のウェブサイトに連結させることを特徴とする請求項１に記載の無線接続機能を有する周辺装置。
【請求項９】
前記記憶ユニットは複数の接続情報を有する時、前記リストは複数の選択項目を有し、ある一つの選択項目が選択された時、前記表示装置は前記選択項目に対応する特定のウェブサイトのホームページを表示することができることを特徴とする請求項１に記載の無線接続機能を有する周辺装置。
【請求項１０】
前記伝送インターフェースと前記コンピューターシステムが接続する時、前記処理ユニットは前記複数の接続情報に基づいて、前記無線通信ユニットを複数の特定のウェブサイトと同時に連結させ、前記複数の選択項目の第一の選択項目が選択された時、前記表示装置は前記第一の選択項目に対応する特定のウェブサイトのホームページを表示し、前記複数の選択項目の第二の選択項目が選択された時、前記表示装置は前記第二の選択項目に対応する特定のウェブサイトのホームページを表示することを特徴とする請求項９に記載の無線接続機能を有する周辺装置。
【請求項１１】
一つの周辺装置に適用される操作方法であって、前記操作方法は、
前記周辺装置をコンピューターシステムに接続させるステップと、
前記周辺装置の接続情報に基づいて、少なくとも一つの選択項目を有するリストを表示するステップと、
前記選択項目が選択された時、前記選択項目に対応する特定のウェブサイトのホームページにアクセスするステップとを含むことを特徴とする操作方法。
【請求項１２】
入力情報を受けるステップと、
前記入力情報と識別情報を比較するステップと、
前記入力情報が前記識別情報と一致した時、前記リストを表示するステップと、
前記入力情報が前記識別情報と一致しない時、前記リストを表示しないステップとを更に含むことを特徴とする請求項１１に記載の操作方法。
【請求項１３】
前記接続情報に基づいて、前記特定のウェブサイトと連結することを更に含むことを特徴とする請求項１１に記載の操作方法。
【請求項１４】
前記周辺装置と前記コンピューターシステムとの間の接続はユニバーサルシリアルバス（USB）と、ブルートゥース(blue tooth)と、ペリフェラルコンポーネントインターコネクトエクスプレス (Peripheral Component Interconnect Express, PCI-E)とのいずれか一つであることを特徴とする請求項１１に記載の操作方法。
【請求項１５】
前記特定のウェブサイトとの連結は、３Ｇ通信システムと、３．５Ｇ通信システムと、４Ｇ通信システム、またはワールドワイドインターオペラビリティフォーマイクロウェーブアクセス(Worldwide
Interoperability for Microwave Access,WiMAX)とのいずれか一つを使用することを特徴とする請求項１１に記載の操作方法。
【発明の詳細な説明】
【技術分野】
【０００１】
本発明は、コンピューターシステムの周辺装置に関し、特に、無線接続機能を有する周辺装置に関するものである。
【背景技術】
【０００２】
科学技術の進歩につれ、記憶媒体の種類はますます多くなる。概ね、記憶媒体の種類はハードディスクタイプと携帯ディスクタイプ、及び光ディスクタイプに分けることができる。一般的に、ユーザーは一つの記憶媒体だけを携帯する。しかし、どのタイプの記憶媒体にしても、いずれも一定の記憶容量を有する。記憶媒体がいっぱいになった時には、さらなるデータを格納することができない。
【０００３】
また、仮に、ユーザーが一つのコンピューターシステムにおいて、特定データを使用したい場合、まず、ユーザーは、特定のデータを記憶媒体に保存する必要があり、次に、前記記憶媒体をある一つのコンピューターシステムと互いに連接してから特定のデータを使用することができる。しかし、仮に、ユーザーが特定データを有する記憶媒体を忘れた場合、または、記憶媒体が突然故障した場合、ユーザーはいかなるアクセスができなくなる。
【発明の概要】
【発明が解決しようとする課題】
【０００４】
本発明の目的は、記憶媒体の状態に拘わらずに、利便性よくデータにアクセスすることができる無線接続機能を有する周辺装置及び操作方法を提供する。
【課題を解決するための手段】
【０００５】
上記課題を解決するために、本発明の無線接続機能を有する周辺装置は、伝送インターフェースと、無線通信ユニットと、記憶ユニットと、処理ユニットとを含む。伝送インターフェースはコンピューターシステムを接続するのに用いられる。コンピューターシステムは一つの表示装置を有する。無線通信ユニットは無線の方式でインターネットとデータ伝送を行う。記憶ユニットは少なくとも一つの接続情報を有する。伝送インターフェースとコンピューターシステムが接続する時、処理ユニットは接続情報に基づいて、表示装置にリストを表示する。リストは少なくとも一つの選択項目を有する。選択項目が選択された時、表示装置は特定のウェブサイトのホームページを表示する。
【０００６】
本発明は、一つの周辺装置に適用される操作方法を更に提供し、周辺装置をコンピューターシステムに接続させるステップと、周辺装置の接続情報に基づいて、少なくとも一つの選択項目を有するリストを表示するステップと、選択項目が選択された時、選択項目に対応する特定のウェブサイトのホームページにアクセスするステップとを含む。
【発明の効果】
【０００７】
本発明の無線接続機能を有する周辺装置及びその操作方法によれば、その周辺装置に保存された接続情報によって、複数の特定のウェブサイトと自動的にリンクすることができると同時に、ID、パスワードを自動的に入力することができる。よって、利便性を大幅に高めることができる。
【図面の簡単な説明】
【０００８】
【図１】本発明の処理システムを示す概略図である。
【図２】本発明のリストの一例を示す概略図である。
【図３】本発明の操作方法を示す概略図である。
【発明を実施するための形態】
【０００９】
本発明についての目的、特徴、長所が一層明確に理解されるよう、以下に実施形態を例示し、図面を参照しながら詳細に説明する。
【実施例】
【００１０】
ここで使用される専門用語は、特定の実施例だけに用いられ、本発明を限定するものでない。よって、明確な表示がない限り、ここで用いられる「一つ」と「前記」は複数の形態を含む。そのほかに、明細書で「含む」を使用する場合は、記載される特徴、整数、ステップ、操作、構成要素、及び／または組成を特定するが、一つまたは複数のその他の特徴、整数、ステップ、操作、構成要素、及び／またはそのグループの追加を排除するものではない。
【００１１】
ほかで定義しない限り、ここでのすべての用語（技術と科学用語を含む）は、いずれも本発明の技術領域に属する通常知識を有する者が一般的に理解できるものである。また、明白に表示する以外に、その用語は、一般の辞典定義において、その関連する技術領域の意義と一致するものと解釈すべきで、理想的な状態、または正式すぎる語態に解釈すべきでない。
【００１２】
図１は本発明の処理システムの概略図である。図に示すように、処理システム１００は、コンピューターシステム１１０と、周辺装置１３０と、インターネット（Internet）１５０とを含み、周辺装置１３０は、コンピューターシステム１１０とインターネット１５０との間を結合する。本発明はコンピューターシステム１１０と、周辺装置１３０と、インターネット１５０との間の連接方式を限定しない。一つの実施可能例において、周辺装置１３０は有線、または無線（wireless）の方式を利用してコンピューターシステム１１０とインターネット１５０を連接する。
【００１３】
コンピューターシステム１１０は表示装置１１１とホスト１１３を有する。本発明はコンピューターシステム１１０の種類を限定しない。一つの実施可能例において、コンピューターシステム１１０はデスクトップコンピューターである。もう一つの実施可能例において、コンピューターシステム１１０はノート型パソコンである。コンピューターシステム１１０は本領域の者にとって、よく知られるものであるので、説明は省略する。
【００１４】
周辺装置１３０は、無線接続機能を有すると同時に、伝送インターフェース１３１と、無線通信ユニット１３３と、記憶ユニット１３５と、処理ユニット１３７とを含む。伝送インターフェース１３１はコンピューターシステム１１０と接続し、データ伝送を行うのに用いられる。本発明は伝送インターフェース１３１の種類を限定しない。一つの実施可能例において、伝送インターフェース１３１は有線方式とコンピューターシステム１１０によってデータ伝送を行い、例えば、ユニバーサルシリアルバス（USB）またはペリフェラル コンポーネント インターコネクトエクスプレス (Peripheral Component Interconnect Express,  PCI-E)である。もう一つの実施可能例において、伝送インターフェース１３１は無線方式とコンピューターシステム１１０によってデータ伝送を行い、例えば、ブルートゥース(blue tooth)である。
【００１５】
無線通信ユニット１３３は無線の方式でインターネット１５０とデータ伝送を行う。本発明は無線通信ユニット１３３の種類を限定しない。一つの実施可能例において、無線通信ユニット１３３は３Ｇ通信システムである。その他の実施可能例において、無線通信ユニット１３３は３．５Ｇ通信システム、４Ｇ通信システム、またはワールドワイドインターオペラビリティフォーマイクロウェーブアクセス(Worldwide
Interoperability for Microwave Access, WiMAX)である。
【００１６】
記憶ユニット１３５は少なくとも一つの接続情報を有する。本発明は記憶ユニット１３５の種類を限定しない。一つの実施可能例において、記憶ユニット１３５はフラッシュメモリ（flash memory）、またはDDR SDRAM（Double Data Rate Synchronous
Dynamic Random Access Memory）である。本実施例において、記憶ユニット１３５に保存された接続情報は特定のウェブサイトのアドレスを含み、特定のウェブサイトのID、パスワード、またはその他の情報にアクセスする。
【００１７】
伝送インターフェース１３１とコンピューターシステム１１０が接続した時、処理ユニット１３７は記憶ユニット１３５に記憶された接続情報に基づいて、表示装置１１１にリストを表示させる。本実施例において、表示装置１１１に表示されるリストは、少なくとも一つの選択項目を有し、選択項目が選択された時、表示装置１１１は選択された項目に対応する特定のウェブサイトのホームページを表示する。
【００１８】
図２は本発明のリストの概略図である。図に示すように、リスト２００は、選択１〜ｎICONl〜ICONnを含む。本発明は選択１〜ｎICONl〜ICONnのパターンを限定しない。一つの実施可能例において、選択１〜ｎICONl〜ICONnは、テキストの方式で表示する（図２に示すように）。その他の実施例において、選択１〜ｎICONl〜ICONnは、アイコンの方式で表示する。
【００１９】
選択１〜ｎICONl〜ICONnは、各々特定のウェブサイトのホームページに対応する。ユーザーがある選択項目を選んだ時、表示装置１１１で、対応するホームページを表示する。例を挙げると、選択１〜ｎICONl〜ICONnは、ネットワークディスク１〜ネットワークディスクＮをそれぞれ表しているとする。ユーザーが選択１ICONlを選択した場合、表示装置１１１はネットワークディスク１の所在のホームページ（例えばGoogleのネットワークディスク）を表示する。また、ユーザーがICON2を選択した場合、表示装置１１１はネットワークディスク２の所在のホームページ（例えば、Microsoftのネットワークディスク）を表示する。
【００２０】
よって、ユーザーは、単に、全てのネットワークディスクのアドレス、ID、パスワードを記憶ユニット１３５に保存すれば、処理ユニット１３７は無線通信ユニット１３３を制御し、関連するウェブサイトに自動的にリンクさせると同時に、対応するID、パスワードを自動的にロードすることができ、ユーザーがネットワークディスクの所在アドレス、ID、パスワードを自ら入力する必要がない。ユーザーの利便性を高める以外に、ユーザーはさらに容量が無限の状況でデータをアクセスすることができる。また、データはいずれもネットワークディスクに保存しているため、そのデータの保護と一致性は従来の外付けの携帯ディスクに相対して管理しやすい。
【００２１】
本発明は選択１〜ｎICONl〜ICONnに対応するホームページを限定しない。本実施例において、選択１〜ｎICONl〜ICONnは異なるネットワークディスクのホームページにそれぞれ対応する。その他の実施例において、選択１〜ｎICONl〜ICONnは異なるリモートサーバーにそれぞれ対応する。
【００２２】
一つの実施可能例において、ユーザーは一つの選択項目を選択するか否か、周辺装置１３０がコンピューターシステムに接続するだけで、無線通信ユニット１３３はいずれもリストのすべての選択項目に対応されるホームページにリンクする。ある一つの選択項目が選択された後、表示装置１１１は対応するホームページを表示する。この例において、無線通信ユニット１３３はその他の選択されていない選択項目に対応するホームページにそのままリンクしている。
【００２３】
もう一つの実施可能例において、無線通信ユニット１３３は、選択された選択項目に対応するホームページだけにリンクする。この例において、ユーザーがある一つの選択項目を選択した後、無線通信ユニット１３３は、選択された選択項目に基づいて、対応するホームページにリンクし、その他の選択されていない選択項目に対応するホームページにリンクすることはない。
【００２４】
その他の実施例において、記憶ユニット１３５は識別情報を更に有し、データアクセスの安全性を高めるために用いられる。伝送インターフェース１３１とコンピューターシステム１１０が接続した時、処理ユニット１３７はコンピューターシステム１１０からの入力情報と記憶ユニット１３５に保存された識別情報とを対比する。処理ユニット１３７は入力情報と識別情報の対比結果に基づいて、表示装置１１１にリストを表示させるかどうかを決める。
【００２５】
例を挙げると、入力情報と識別情報が一致した場合、表示装置１１１はリストを表示する。逆に、入力情報と識別情報が一致しない場合、表示装置１１１はリストを表示しない。本発明は識別情報の種類を限定しない。一つの実施可能例において、識別情報は指紋情報、または人間の顔の情報である。従来の外付け携帯ディスクタイプと比べて、識別情報の対比によって、データアクセスの安全性を高めることができる。
【００２６】
図３は本発明の操作方法の概略図である。本発明の操作方法は周辺装置に適用する。まず、周辺装置をコンピューターシステムに接続する（ステップＳ３１０）。本発明は、周辺装置がコンピューターシステムと接続する方法を限定しない。一つの実施可能例において、周辺装置は有線、または無線方式でコンピューターシステムと接続する。また、本発明はコンピューターシステムの種類を限定しない。一つの実施可能例において、コンピューターシステムはデスクトップコンピューター、またはノート型パソコンである。
【００２７】
次に、識別アクションを実行する（ステップＳ３３０）。その他の実施例において、ステップＳ３３０を省略することができる。仮に、ステップＳ３３０を省略した場合、ステップＳ３１０を完成した後に、ステップＳ３５０を実行する。以下に一つの識別アクションを説明するが、本発明を限定するものでない。
【００２８】
まず、コンピューターシステムから提供された入力情報は識別情報と一致するかどうかを判断する（ステップＳ３３１）。本発明は識別情報を限定するものでない。一つの実施可能例において、識別情報は指紋、または人間の顔である。仮に、識別が失敗した場合、入力情報と識別情報が一致するまで、新たに入力を要求する（ステップＳ３３３）。仮に、入力情報と識別情報とが一致した場合、インターネット機能を起動する（ステップＳ３３２）。
【００２９】
ステップＳ３３２において、周辺装置に保存された接続情報に基づいて、インターネットに自動的にリンクすることができる。一つの実施可能例において、インターネットにリンクした時、周辺装置は接続情報に基づいて、少なくとも一つの特定のウェブサイトと自動的にリンクする。もう一つの実施可能例において、周辺装置は特定のウェブサイトと一時的にリンクしないで、ユーザーが選択した後に特定のウェブサイトとリンクする。また、本発明はリンクするウェブサイトの数量を限定しない。一つの実施可能例において、周辺装置は複数の特定のウェブサイトと同時にリンクすることができる。
【００３０】
次に、周辺装置に保存された接続情報に基づいて、リストを表示してユーザーに選択させる（ステップＳ３５０）。一つの実施可能例において、リストは少なくとも一つの選択項目を有する。各選択項目に特定のウェブサイトを対応させる。本発明は特定のウェブサイトの種類を限定しない。一つの実施可能例において、異なる選択項目は異なるネットワークディスクを示している。その他の実施例において、ステップＳ３５０はリストを提供してユーザーに選択させる以外に、インターネットとリンクする機能を更に有する。
【００３１】
ユーザーが選択した後、ユーザーが選択した項目に対応するホームページにアクセスすることができる（ステップＳ３６０）。図２を例にすると、仮に、ユーザーがICONlを選択した時、ICONlに対応するホームページにアクセスすることができる。仮に、ユーザーがICON２を選択した時、ICON２に対応するホームページにアクセスすることができる。周辺装置に保存された接続情報によって、複数の特定のウェブサイトと自動的にリンクすることができると同時に、ID、パスワードを自動的に入力することができる。よって、利便性を大幅に高めることができる。
【００３２】
以上、本発明の好適な実施例を例示したが、図または実施の形態では、類似または同一の部分には、同一の符号を用いている。また、図では、実施例の形状または厚さは拡大することができ、標示を簡易化することができる。また、図中の各構成要素の部分をそれぞれ説明したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００３３】
１００  処理システム
１１０  コンピューターシステム
１３０  周辺装置
１５０  インターネット
１１１  表示装置
１１３  ホスト
１３１  伝送インターフェース
１３３  無線通信ユニット
１３５  記憶ユニット
１３７  処理ユニット
ICONl〜ICONn  選択１〜ｎ
【図１】
2012103828.tif 000003
【図２】
2012103828.tif 000004
【図３】
2012103828.tif 000005